(57)【要約】【課題】  携帯電話機の使用・不使用の際のスライド操作に連動して非接触式ＩＣモジュールへの電磁波をシールドし、外部アクセス装置との不用意なアクセスを確実に防止する。【解決手段】  液晶表示部５とその背面側に非接触式ＩＣモジュール用アンテナ６ａが設けられた第１筐体２と、この第１筐体２にスライド自在に重合され、電磁シールド手段が設けられた第２筐体３を備え、スライド閉時に液晶表示部５と共に電磁シールド手段が非接触式ＩＣモジュール用アンテナ６ａの両面を覆うようにしたことにより、ユーザーが特別な操作を行なわなくても外部アクセス装置との不用意なアクセスを確実に防止できる。【選択図】  図１
2008104007.tif 000002
【特許請求の範囲】
【請求項１】
前面側に設けられた液晶表示部と、該液晶表示部の背面側に設けられ、且つ外部アクセス装置と電磁誘導的結合可能な非接触式ＩＣモジュール用アンテナとを有する第１筐体、
この第１筐体の背面側にスライド開閉自在に重合され、且つスライド開時に操作可能な操作部が配設された第２筐体、
この第２筐体に設けられ、第２筐体のスライド開時に前記非接触式ＩＣモジュール用アンテナの背面側を開放して前記外部アクセス装置との電磁誘導的結合を可能にし、スライド閉時に前記液晶表示部と共に前記非接触式ＩＣモジュール用アンテナの両面を覆って前記外部アクセス装置との電磁誘導的結合を遮断する電磁シールド手段を備えてなるスライド式携帯電話機。
【請求項２】
電磁シールド手段は操作部が実装された基板であることを特徴とする請求項１に記載のスライド式携帯電話機。
【請求項３】
電磁シールド手段は液晶表示部と操作部とを電気的に接続するフレキシブル基板であることを特徴とする請求項１に記載のスライド式携帯電話機。
【請求項４】
アンテナの側面をシールドする電磁シールド部材を備えたことを特徴とする請求項１に記載のスライド式携帯電話機。
【請求項５】
第２筐体のスライド開閉状態を検知する検知部を設け、
スライド閉状態検知時に非接触式ＩＣモジュール用電源を切ることを特徴とする請求項１ないし請求項４のいずれかに記載のスライド式携帯電話機。
【発明の詳細な説明】
【技術分野】
【０００１】
この発明は、非接触式ＩＣモジュールを搭載したスライド式携帯電話機に関するものである。
【背景技術】
【０００２】
この種の携帯電話機は、一定距離内の外部アクセス装置と通信可能な非接触式ＩＣモジュールを搭載することにより、コミュニケーション手段に加えて電子マネーなどの電子決済手段や、各種認証手段を有した総合電子ツールとして機能するように構成されている。しかし、このような携帯電話機では、外部アクセス装置との通信範囲内に携帯電話機を近接させるだけで、非接触式ＩＣモジュールが外部アクセス装置と電磁誘導的結合をして通信が成立してしまう。そこで、携帯電話機内に可動式の電磁シールド部材を設け、この電磁シールド部材で非接触式ＩＣモジュール用アンテナを覆って、非接触式ＩＣモジュール用アンテナへの電磁波の侵入を防止し、ユーザーが意図しないアクセスを防止する携帯電話機が提案されている。（例えば特許文献１参照。）
【特許文献１】特開２００５−２９３１９１号公報（第５頁、第１図）
【発明の開示】
【発明が解決しようとする課題】
【０００３】
上記のような携帯電話機においては意図しないアクセスを防止するためにユーザーが電磁シールド部材を逐一移動するという特別な操作を行なう必要があるので、電磁シールド部材の操作忘れによって不用意なアクセスを招く恐れがあった。
【０００４】
この発明は、上記のような問題点を解決するためになされたものであり、外部アクセス装置との不用意なアクセスを確実に防止できるスライド式携帯電話機を得ることを目的とする。
【課題を解決するための手段】
【０００５】
この発明にかかるスライド式携帯電話機は、液晶表示部とその液晶表示部の背面側に非接触式ＩＣモジュール用アンテナが設けられた第１筐体、この第１筐体の背面側にスライド開閉自在に重合され、スライド開時に操作可能な操作部を有する第２筐体、この第２筐体に設けられ、スライド閉時に液晶表示部と共に非接触式ＩＣモジュール用アンテナの両面を覆って外部アクセス装置との電磁誘導的結合を遮断する電磁シールド手段、を備えたものである。
【発明の効果】
【０００６】
この発明は、液晶表示部とその背面側に設けられた非接触式ＩＣモジュール用アンテナとを有する第１筐体と、この第１筐体にスライド自在に重合され、電磁シールド手段が設けられた第２筐体とを備え、第２筐体のスライド閉時に液晶表示部と電磁シールド手段とによって非接触式ＩＣモジュール用アンテナの両面を覆うようにしたことにより、ユーザーによる特別な操作を必要とせずして、外部アクセス装置との不用意なアクセスを確実に防止できるスライド式携帯電話機が得られる。
【発明を実施するための最良の形態】
【０００７】
実施の形態１．
図１〜３は本発明の実施の形態１におけるスライド式携帯電話機の構成を示すものである。図１（ａ）及び（ｂ）はスライド式携帯電話機の構成を示すもので、図１（ａ）はその平面図、図１（ｂ）は図１（ａ）のＡ−Ａ線における断面図、図２（ａ）及び（ｂ）は非接触式ＩＣモジュールの構成を示す平面図及び側面図、図３（ａ）は図１のIII−III線におけるスライド開状態を示す切断断面図、図３（ｂ）は図１のIII−III線におけるスライド閉状態を示す切断断面図である。
【０００８】
図において、スライド式携帯電話機１は、第１筐体２と、この第１筐体２とスライドモジュール４を介してスライド自在に重合されている第２筐体３とを有している。前記スライドモジュール４は、前記第１筐体２の背面の両側部に設けられたレール状部と、このレール状部に内蔵された圧縮ばねと係止機構（ともに図示せず）を有しており、これらによって前記第２筐体３のスライド方向とストロークおよびスライド状態を規定している。なお、スライドモジュール４には、圧縮ばねの代わりに巻ばねを用いてスライド状態を規定するように構成することも可能である。
【０００９】
第１筐体２は、前面側に液晶表示部５が設けられ、この液晶表示部５の背面側には、外部アクセス装置と電磁誘導的結合可能な非接触式ＩＣモジュール用アンテナ６ａを有する非接触式ＩＣモジュール６が設けられている。この非接触式ＩＣモジュール６は図２に示すように、高透磁率の基板６ｄに形成された合成樹脂性の絶縁膜６ｃ上に、アルミニウムの導電性薄膜によって複数巻のループコイル状に形成された非接触式ＩＣモジュール用アンテナ６ａと、前記絶縁膜６ｃ上に配置され、前記非接触式ＩＣモジュール用アンテナ６ａに接続される非接触式ＩＣチップ６ｂを有し、前記液晶表示部５の平面内に収まるように配置されている。そして、この非接触式ＩＣモジュール６はアクティブ型であって、別途電源を動力源として駆動する。前記液晶表示部５はガラスパネルからなる表示面と、この表示面以外の全ての面を覆うＳＵＳ板金のケースで構成されており、前記液晶表示部５はこのＳＵＳ製のケースの高導電性によって電磁シールドとして機能する。そのため、非接触式ＩＣモジュール用アンテナ６ａは、前記液晶表示部５によって前面側からの電磁波からシールドされる。
【００１０】
一方、第２筐体３内にはほぼ全面に亘って基板７が設けられている。この基板７は内部に複数の層を有し、かつ、通話通信用の電波放射体としての機能を持たせるために、少なくとも一層はべた面と呼ばれる全面に導体が設けられた層を有している。また、別途内蔵部品を設置するために、一部を切り欠くことがあるが、その際にも内蔵部品には基板７と電磁気的に結合されるように金属カバーが設けられるので、基板７は実質的に第２筐体３の全面に亘る導体とみなすことができる。この基板７には、図３に示すように第２筐体３の前面側に設けられた操作用キー８ａや図示しない操作スイッチ等を有する操作部８が実装されている。この操作部８の操作用キー８ａや操作スイッチ等は図３（ａ）に示すようにスライド開状態すなわちスライド式携帯電話機１の使用時には前記第１筐体２の下側（図中右）から操作可能となり、図３（ｂ）に示すようにスライド閉状態すなわちスライド式携帯電話機１の不使用時には前記第１筐体２の背面側に収納されて操作不能となる。そして、スライド式携帯電話機１の使用・不使用によるスライド操作に連動して、スライド開状態では前記非接触式ＩＣモジュール用アンテナ７ａの背面側（図中上）は開放されるが、スライド閉状態では前記基板７によって覆われる。
【００１１】
この基板７のべた面の銅箔の厚さは一般的な１８μｍの厚みのものを使用している。一般に、高周波の電磁波により励起される電流は導体の表面付近にしか流れない性質があり（表皮効果）、その電流が流れる範囲（深さ）が表皮深さである。導体の厚さが表皮深さ以下であれば抵抗が高くなり、励起される電流が流れにくくなるのでシールド効果が低下する。前記基板７の銅箔の厚みは、電子マネーに使用されている電磁波の周波数（１３．５６ＭＨｚ）における表皮深さ（１７．９μｍ）よりも厚く、基板７のべた面のみで十分な電磁シールド機能を有する。
【００１２】
つまり、スライド式携帯電話機１の不使用時には図３（ｂ）に示すように第２筐体３をスライド閉状態にすることによって、前記基板７は、前記液晶表示部５とともに前記非接触式ＩＣモジュール用アンテナ６ａの両面を覆う電磁シールド手段として機能する。
【００１３】
また、前記液晶表示部５と前記操作部８とは、第２筐体３のスライド操作に合わせて変形するフレキシブル基板９によって電気的に接続され、このフレキシブル基板９は前記第１筐体２の背面に設けられたＦＰＣニガシ１０という窪みに２つ折り状態となって収容されている。
【００１４】
その他、第１筐体２には図示しないサブカメラモジュール、スピーカーなどが内蔵されている。また、第２筐体３には前記基板７の背面側において前記操作部８に対応して電池１１が設けられ、それ以外に図示しない外部メモリー、ＳＩＭカード、大型スピーカー、バイブレーター、メインカメラモジュール、マイク、電話用アンテナ、などが内蔵されている。
【００１５】
次に、動作について説明する。
図４はスライド式携帯電話機に設けられた非接触式ＩＣモジュールと外部アクセス装置とのアクセスを示すブロック図である。図において、外部アクセス装置６０の送受信アンテナ６０ａからは、非接触式ＩＣモジュール用アンテナ６ａと電磁誘導的結合可能な所定無線周波数の電波（電磁波）が出力されている。電波は発信源から遠ざかるほど強度が弱くなるため、電磁波が所定レベル以上となる電磁波有効領域（通信範囲）は送受信アンテナ６０ａと非接触式ＩＣモジュール用アンテナ６ａ間の距離で決まることが多い。本実施の形態における非接触式ＩＣモジュール６は、電子マネーに使用されている非接触式ＩＣカード（モジュール）の通信規格ISO14443 Type Cに準拠しており、この規格での通信距離は１０ｃｍである。したがって、非接触式ＩＣモジュール用アンテナ６ａを外部アクセス装置６０の送受信アンテナ６０ａから１０ｃｍ以内の領域に持っていくと、非接触式ＩＣモジュール用アンテナ６ａと送受信アンテナ６０ａとが電磁誘導的結合をして通信が成立する。このとき、非接触式ＩＣモジュール６用アンテナ６ａと非接触式ＩＣチップ６ｂ回路（ドライバ６１、制御部６２、メモリ６３）間でデータ信号が受渡され、外部アクセス装置６０との情報のやり取りが行なわれる。
【００１６】
通常、スライド式携帯電話機１は、収納に便利なように図３（ｂ）に示すようなスライド閉状態になっている。
そこで、スライド式携帯電話機１の使用時には、スライドモジュール４の係止機構を解除することによって、圧縮ばねの反発により前記スライド閉状態から、図３（ａ）に示すような完全なスライド開状態に移動し、操作部８が操作可能な状態になる。このとき、非接触式ＩＣモジュール用アンテナ６ａの背面側が開放されるため、スライド式携帯電話機１の背面側（図中上）を外部アクセス装置６０に近接させることにより、非接触式ＩＣモジュール用アンテナ６ａが外部アクセス装置６０の通信範囲内に入り、非接触式ＩＣモジュール６と外部アクセス装置６０とが電磁誘導的結合をして情報のやり取りを行なうことができる。なお、本実施の形態では、非接触式ＩＣモジュール用アンテナ６ａは第２筐体３の厚み（１ｃｍ程度）の分だけ、外部アクセス装置６０の送受信アンテナ６０ａから遠ざかることになるが、その距離は外部アクセス装置６０の通信距離と較べて短く、問題にはならない。
【００１７】
一方、スライド式携帯電話機１の不使用時には、第２筐体３を図３（ａ）に示すスライド開状態から図３（ｂ）に示すようなスライド閉状態に移動すると、操作部８が操作不能となり、前記係止機構によってその状態が維持される。このとき、非接触式ＩＣモジュール用アンテナ６ａの両面が液晶表示部５と電磁シールド手段である基板７とで覆われるため、非接触式ＩＣモジュール用アンテナ６ａは、外部アクセス装置６０の通信範囲内に入っているものの、外部アクセス装置６０との電磁誘導的結合が遮断されて通信が成立せず、情報のやり取りができなくなる。
【００１８】
このように、スライド式携帯電話機１の不使用時に第２筐体３をスライド閉状態にするだけで、非接触式ＩＣモジュール用アンテナ６ａの両面が液晶表示部５と電磁シールド手段である基板７とで覆われて、非接触式ＩＣモジュール６と外部アクセス装置６０との電磁誘導的結合が遮断されるので、前述したようなユーザーが電磁シールド部材を逐一移動するという特別な操作を必要とせずして、不用意なアクセスを確実に防止することができる。
【００１９】
しかも、本実施の形態では、第２筐体３のスライド閉操作時において、閉じ方が中途半端な場合には前記圧縮ばねの反発によりスライド開状態に戻され、また、完全に閉じた場合には係止機構が働いてその状態が維持されるので、第２筐体３が中途半端なスライド状態で保持されることがない。そのため、電磁シールド手段による非接触式ＩＣモジュール用アンテナ６ａへの電磁波のシールドが不完全な状態で保持されることがなくなり、不用意なアクセスをより確実に防止することができる。
【００２０】
また、本実施の形態によれば、操作部８が実装される既存の基板７を電磁シールド手段として利用しているので、特別な部品は必要なく、部品点数の増加もないので、コストアップすることもない。
【００２１】
実施の形態２．
図５、図６は、本発明の実施の形態２におけるスライド式携帯電話機を示すもので、図５はスライド式携帯電話機の構成を示す平面図、図６（ａ）は図５のVI−VI線におけるスライド開状態を示す切断断面図、図６（ｂ）は図５のVI−VI線におけるスライド閉状態を示す切断断面図である。図において、液晶表示部５と操作部８を電気的に接続するフレキシブル基板９は、第１筐体２の背面に設けられたＦＰＣニガシ１０内に２つ折り状態となって収容されている。前記フレキシブル基板９の屈曲点９ａは、第２筐体３のスライド開閉操作に伴い、前記ＦＰＣニガシ１０内で第２筐体３のスライドのストロークのほぼ半分の距離を移動する。そして、前記フレキシブル基板９は内層の１つにべた面の銅配線パターンが設けられ、このべた面によって前記フレキシブル基板９は電磁シールド機能を有している。非接触式ＩＣモジュール用アンテナ６ａは、上下方向の長さを前記屈曲点９ａの移動距離以下で、左右方向の長さをフレキシブル基板９の幅以下となるよう構成した。そして、図６（ａ）に示すようにスライド開状態では背面側（図中上）が開放され、図６（ｂ）に示すようにスライド閉状態では、背面側（図中上）が前記フレキシブル基板９により覆われるように第１筐体２の液晶表示部５の背面に設けた。つまり、前記フレキシブル基板９は、スライド閉状態で前記液晶表示部５とともに前記前記非接触式ＩＣモジュール用アンテナ６ａの両面を覆う電磁シールド手段となる。その他は実施の形態１と同様である。
【００２２】
次に、動作について説明する。
本実施の形態でも、スライド式携帯電話機１の使用時に第２筐体３をスライド開状態に移動した場合は、非接触式ＩＣモジュール用アンテナ６ａの背面側が開放されるので、スライド式携帯電話機１の背面側を外部アクセス装置６０に近接させることにより、非接触式ＩＣモジュール６と外部アクセス装置６０とが電磁誘導的結合をして情報のやり取りを行なうことができる。
【００２３】
一方、スライド式携帯電話機１の不使用時に第２筐体３をスライド閉状態に移動すると、非接触式ＩＣモジュール用アンテナ６ａの両面が液晶表示部５とフレキシブル基板９によって覆われるため、スライド式携帯電話機１を外部アクセス装置６０に近接させても、前記非接触式ＩＣモジュール６は外部アクセス装置６０との電磁誘導的結合が遮断されて、情報のやり取りができなくなる。つまり、スライド式携帯電話機１の不使用時に第２筐体３を図６（ｂ）に示すスライド閉状態にするだけで、電磁シールド手段であるフレキシブル基板９が液晶表示部５とともに非接触式ＩＣモジュール用アンテナ６ａの両面を覆って、外部アクセス装置６０との電磁誘導的結合を遮断し、不用意なアクセスを確実に防止する。
【００２４】
このように、スライド式携帯電話機１の不使用時に第２筐体３をスライド閉状態にするだけで、非接触式ＩＣモジュール用アンテナ６ａの両面が液晶表示部５と電磁シールド手段であるフレキシブル基板９とで覆われて、非接触式ＩＣモジュール６と外部アクセス装置６０との電磁誘導的結合が遮断されるので、ユーザーが電磁シールド部材を逐一移動するという特別な操作を必要とせずして、不用意なアクセスを確実に防止することができる。特にフレキシブル基板９は基板７に較べて非接触式ＩＣモジュール用アンテナ６ａに接近した位置にあるので、電磁波をシールドする効果が高い。さらに、第２筐体３の基板７もフレキシブル基板９の外側を覆っているので、シールドが２重となり効果的に電磁波をシールドして不用意なアクセスを防止することが可能となる。
【００２５】
また、上記実施の形態２では、第２筐体３をスライド閉状態にしたときに非接触式ＩＣモジュール用アンテナ６ａの背面全面をフレキシブル基板９によって覆うようにしているが、図７に示すように非接触式ＩＣモジュール用アンテナ６ａの一部を覆うようにした場合でも、電磁波を減衰させる効果はあり、基板７によるシールドと併用することにより、不用意なアクセスを防止することが可能となる。
【００２６】
実施の形態３．
図８、図９は本発明の実施の形態３におけるスライド式携帯電話機を示すもので、図８はスライド式携帯電話機の構成を示す平面図、図９（ａ）は図８のIX−IX線におけるスライド開状態を示す切断断面図、図９（ｂ）は図８のIX−IX線におけるスライド閉状態を示す切断断面図である。図において、第１筐体２の背面側には、非接触式ＩＣモジュール用アンテナ６ａの平面に対応する部分が開口した電磁シールド部材１０１を非接触式ＩＣモジュール用アンテナ６ａの側面を囲むように設けている。電磁シールド部材１０１は、導電率の高い材料でできたフィルムであり、第１筐体２の内面に貼り付けることで形成している。他は実施の形態２と同様である。
【００２７】
次に、動作について説明する。
本実施の形態でもスライド式携帯電話機１の使用時に第２筐体３をスライド開状態に移動した場合は、実施の形態２と同様に非接触式ＩＣモジュール用アンテナ６ａの背面側が開放されるので、スライド式携帯電話機１を外部アクセス装置６０に近接させることにより、非接触式ＩＣモジュール６が外部アクセス装置６０と電磁誘導的結合をして情報のやり取りを行なうことができる。
【００２８】
一方、スライド式携帯電話機１の不使用時に第２筐体３をスライド閉状態に移動すると、非接触式ＩＣモジュール用アンテナ６ａの両面が電磁シールド手段であるフレキシブル基板９と液晶表示部５によって覆われ、その側面部も電磁シールド部材１０１により覆われる。これによって、非接触式ＩＣモジュール用アンテナ６ａは全方向からの電磁波からシールドされて、非接触式ＩＣモジュール６と外部アクセス装置６０との電磁誘導的結合が遮断されるので、不用意なアクセスを確実に防止することが可能となる。
【００２９】
このように、スライド式携帯電話機１の不使用時に第２筐体３をスライド閉状態にするだけで、非接触式ＩＣモジュール用アンテナ６ａの両面が液晶表示部５と電磁シールド手段である基板７とで覆われ、その側面部も電磁シールド部材１０１によって覆われて、非接触式ＩＣモジュール６と外部アクセス装置６０との電磁誘導的結合が遮断されるので、ユーザーが電磁シールド部材を逐一移動するという特別な操作を必要とせずして、不用意なアクセスを確実に防止することができる。
【００３０】
実施の形態４．
図１０は本発明の実施の形態４におけるスライド式携帯電話機を示すもので、図１０（ａ）は図１のIII-III線の切断面に相当するスライド閉状態を示す断面図、図１０（ｂ）図１０（ａ）のＢ−Ｂ線における断面図である。図において、第２筐体４の前面側には、電磁シールド板１０２が設けられ、この電磁シールド板１０２は、前記第２筐体のスライド閉時に、非接触式ＩＣモジュール用アンテナ６ａを第１筐体２の液晶表示部５とともに両面から覆うシールド手段となる。一方、第１筐体２の背面側には窪み状のＦＰＣニガシ１０が設けられ、前記第１筐体２の背面側の内面には前記ＦＰＣニガシ１０に対応した凸状部１２が形成される。非接触式ＩＣモジュール用アンテナ６ａは、液晶表示部５の背面側となる前記凸状部１２の平面部１２ａに設けられている。この平面部１２ａには、前記非接触式ＩＣモジュール用アンテナ６ａの前面側を覆う電磁シールド部材１０３が平面部１２ａの全面に亘って設けられ、さらに前記凸状部１２の側壁部１２ｂを囲むように電磁シールド部材１０４が設けられている。前記電磁シールド部材１０３、１０４は、前記第２筐体３のスライド閉時に前記電磁シールド板１０２とともに前記非接触式モジュール用アンテナ６ａを３次元的に囲む箱状をなす電磁シールド部材となる。他は実施の形態１と同様である。
【００３１】
次に、動作について説明する。
スライド式携帯電話機１の使用時に第２筐体３をスライド開状態に移動した場合は、実施の形態１と同様に非接触式ＩＣモジュール用アンテナ６ａの背面側が開放されるので、スライド式携帯電話機１を外部アクセス装置６０に近接させることにより、非接触式ＩＣモジュール６と外部アクセス装置６０とが電磁誘導的結合をして情報のやり取りを行なうことができる。
【００３２】
一方、スライド式携帯電話機１の不使用時に第２筐体３をスライド閉状態に移動すると、非接触式ＩＣモジュール用アンテナ６ａは、その両面が液晶表示部５と電磁シールド手段である電磁シールド板１０２によって覆われるとともに、この電磁シールド板１０２とともに箱状をなす電磁シールド部材１０３、１０４によっても３次元的に覆われるため、非接触式ＩＣモジュール用アンテナ６ａへの電磁波の侵入を確実にシールドして非接触式ＩＣモジュール６と外部アクセス装置６０との電磁誘導的結合を遮断し、不用意なアクセスを確実に防止することが可能となる。さらに、第２筐体３の基板７も電磁シールド板１０２の外側を覆っているので、非接触式ＩＣモジュール用アンテナ６ａへの電磁波の侵入をより確実にシールドして不用意なアクセスを確実に防止することが可能となる。また、スライドモジュール４のガイドフレームは金属を用いることが多く、高導電率材料である鉄、銅やＳＵＳ材などで構成すると、側方からの電磁波をさらにシールドする効果を得られる。
【００３３】
このように、スライド式携帯電話機１の不使用時に第２筐体３をスライド閉状態にするだけで、非接触式ＩＣモジュール用アンテナ６ａは、その両面が液晶表示部５と電磁シールド手段である電磁シールド板１０２とで両面から覆われるとともに、この電磁シールド板１０２とともに箱状をなす電磁シールド部材１０３、１０４によっても３次元的に覆われて、非接触式ＩＣモジュール６と外部アクセス装置６０との電磁誘導的結合が遮断されるので、ユーザーが電磁シールド部材を逐一移動するという特別な操作を必要とせずして、不用意なアクセスを確実に防止することができる。さらに、第２筐体３の基板７も電磁シールド板１０２の外側を覆っているので、効果的に電磁波をシールドして不用意なアクセスを防止することが可能となる。
【００３４】
なお、上記実施の形態３、４では、導電性フィルムを貼付することで電磁シールド部材を形成したが、高導電率の材料をメッキ、蒸着などの表面処理により付与することで形成してもよく、筐体の一部を導電性樹脂で構成することにより形成してもよい。
【００３５】
また、上記各実施の形態においては、アクティブ型の非接触式ＩＣモジュール６を用いているが、これに代えて、非接触式ＩＣモジュール用アンテナ６ａが受信した電磁波を電力として駆動するパッシブ型の非接触式ＩＣモジュールであっても良い。
【００３６】
実施の形態５．
図１１、１２は本発明の実施の形態５におけるスライド式携帯電話機を示すもので、図１１（ａ）はスライド開状態を示す切断断面図、図１１（ｂ）はスライド閉状態を示す切断断面図、図１２はスライド式携帯電話機の非接触式ＩＣモジュールの動作を示すブロック図である。図において、スライド式携帯電話機１には、第１筐体２と第２筐体４が重合する部分に第２筐体３のスライド状態を検知する検知部１３が設けられ、この検知部１３は、第１筐体２に設けられたマグネット１３ａと、第２筐体４の前記マグネット１３ａに相対向する位置に設けられたホール素子１３ｂを有する。前記ホール素子１３ｂは第２筐体３を図１１（ｂ）に示すようなスライド閉状態にしたときに、前記マグネット１３ａに接近し、前記マグネット１３ａの磁束を検出して信号を出力する。つまり、検知部１３はホール素子１３ｂがマグネット１３ａの磁束を検知することによって、第２筐体３のスライド開閉状態を検知する。この検知部１３の出力端は、図１２に示すようにスイッチ８０ａを制御するスイッチ回路８０に接続され、このスイッチ回路８０は、前記検知部１３からの検知信号がないときは、前記スイッチ８０ａを閉にし、前記検知部１３からの検知信号を受けるとスイッチ８０ａを開状態になるように切替制御する。このスイッチ８０ａは、アクティブ型の非接触式ＩＣモジュール６の制御部６２とこの非接触式ＩＣモジュールの電源に用いるスライド式携帯電話機１の電池１１との接続を開閉する。
【００３７】
次に動作について説明する。
スライド式携帯電話機１の使用時に第２筐体３を図１１（ａ）に示すようなスライド開状態に移動した場合は、検知部１３はホール素子１３ｂの磁束を検出せず、検知信号を出力しない。検知信号がない場合はスイッチ回路８０はスイッチ８０ａを閉状態にし、非接触式ＩＣモジュール６用電源である電池１１と非接触式ＩＣモジュール６とを接続し、非接触式ＩＣモジュール６の内部回路を動作可能にする。非接触式ＩＣモジュール用アンテナ６ａの背面側は実施の形態１と同様に開放されるので、スライド式携帯電話機１を外部アクセス装置６０に近接させることにより、非接触式ＩＣモジュール６と外部アクセス装置６０とが電磁誘導的結合をして情報のやり取りを行なうことができる。
【００３８】
一方、スライド式携帯電話機１の不使用時に第２筐体３を図１１（ｂ）に示すようなスライド閉状態に移動すると、非接触式ＩＣモジュール用アンテナ６ａの両面は、液晶表示部５と電磁シールド手段である基板７とで覆われて、外部アクセス装置６０との電磁誘導的結合が遮断される。また、検知部１３はホール素子１３ｂがマグネット１３ａの磁束を検出してスライド閉状態であることを示す検知信号を出力する。この検知信号を受けたスイッチ回路８０はスイッチ８０ａを開状態にし、電池１１と非接触式ＩＣモジュール６との接続を切る。電源を切られた非接触式ＩＣモジュール６は、内部回路が動作せず、機能を停止する。このため、非接触式ＩＣモジュール６と外部アクセス装置６０とのアクセスは、非接触式ＩＣモジュール用アンテナ６ａに電磁波が到達するか否かにかかわらず遮断される。
【００３９】
このように、本実施の形態によれば、スライド式携帯電話機１の不使用時に第２筐体３をスライド閉状態にするだけで、非接触式ＩＣモジュール用アンテナ６ａの両面が液晶表示部５と電磁シールド手段である基板７とで覆われて、非接触式ＩＣモジュール６と外部アクセス装置６０との電磁誘導的結合が遮断される。しかも、非接触式ＩＣモジュール用電源を切って非接触式ＩＣモジュール６の回路動作も停止させるので、ユーザーが電磁シールド部材を逐一移動するという特別な操作を必要とせずして、非接触式ＩＣモジュール６と外部アクセス装置６０との不用意なアクセスを確実に防止することができる。
【図面の簡単な説明】
【００４０】
【図１】この発明の実施の形態１によるスライド式携帯電話機を示す平面図及び断面図である。
【図２】この発明の実施の形態１による非接触式ＩＣモジュールを示す平面図及び側面図である。
【図３】この発明の実施の形態１によるスライド式携帯電話機のスライド開状態及びスライド閉状態を示す断面図である。
【図４】この発明の実施の形態１による非接触式ＩＣモジュールと外部アクセス装置とのアクセスを示すブロック図である。
【図５】この発明の実施の形態２によるスライド式携帯電話機を示す平面図である。
【図６】この発明の実施の形態２によるスライド式携帯電話機のスライド開状態及びスライド閉状態を示す断面図である。
【図７】この発明の実施の形態２の変形例によるスライド式携帯電話機のスライド開状態及びスライド閉状態を示す断面図である。
【図８】この発明の実施の形態３によるスライド式携帯電話機を示す平面図である。
【図９】この発明の実施の形態３によるスライド式携帯電話機のスライド開状態及びスライド閉状態を示す断面図である。
【図１０】この発明の実施の形態４によるスライド式携帯電話機を示す断面図である。
【図１１】この発明の実施の形態５によるスライド式携帯電話機のスライド開状態及びスライド閉状態を示す断面図である。
【図１２】この発明の実施の形態５によるスライド式携帯電話機の非接触式ＩＣモジュールの動作を示すブロック図である。
【符号の説明】
【００４１】
１  スライド式携帯電話機、  ２  第１筐体、  ３  第２筐体、  ５  液晶表示部、
６  非接触式ＩＣモジュール、６ａ  非接触式ＩＣモジュール用アンテナ、  ７  基板、
８  操作部、９  フレキシブル基板、  １３  検知部、  ６０  外部アクセス装置、
１０１、１０３、１０４  電磁シールド部材、１０２  電磁シールド板
【図１】
2008104007.tif 000003
【図２】
2008104007.tif 000004
【図３】
2008104007.tif 000005
【図４】
2008104007.tif 000006
【図５】
2008104007.tif 000007
【図６】
2008104007.tif 000008
【図７】
2008104007.tif 000009
【図８】
2008104007.tif 000010
【図９】
2008104007.tif 000011
【図１０】
2008104007.tif 000012
【図１１】
2008104007.tif 000013
【図１２】
2008104007.tif 000014